(57)【特許請求の範囲】
【請求項１】
二酸化チタン又は酸化鉄がコートされたマイカ系の真珠光沢顔料であって、水和酸化アルミニウム又は水和酸化セリウムと水和酸化アルミニウムとの組み合わせから本質的になる第１のコーティングおよび前記第１のコーティングの上に施されているか、又は、混ぜ合わされている加水分解されたシラン・カップリング剤のコーティングとを有するもの。
【請求項２】
前記シラン・カップリング剤は、少なくとも一つの非アミノ・シラン・カップリング剤又はアミノプロピル・トリエトキシ・シラン・カップリング剤である請求項１の真珠光沢顔料。
【請求項３】
前記非アミノ・シラン・カップリング剤は、アルコキシ・モエティを含む請求項２の顔料。
【請求項４】
前記シラン・カップリング剤は、トリメトキシ・シラン・カップリング剤である請求項３の真珠光沢顔料。
【請求項５】
前記顔料は、二酸化チタンがコートされたマイカ又は酸化鉄がコートされたマイカである請求項４の顔料。
【請求項６】
シラン・カップリング剤が前記第１のコーティングにコートされている請求項１の顔料。
【請求項７】
前記顔料は、二酸化チタンがコートされたマイカ又は酸化鉄がコートされたマイカである請求項１の顔料。
【請求項８】
金属酸化物がコートされたマイカ系真珠光沢顔料を改善する方法であって、この方法は、加水分解されたシラン・カップリング剤と二酸化チタン又は酸化鉄がコートされたマイカの真珠光沢顔料とを組み合わせるものであり、前記真珠光沢顔料は、水和酸化アルミニウム又は水和酸化セリウムと水和酸化アルミニウムとの組み合わせから本質的になるコーティングを該顔料の上に有しているもの。
【請求項９】
前記シラン・カップリング剤は、少なくとも一つの非アミノ・シラン・カップリング剤又はアミノプロピル・トリエトキシ・シラン・カップリング剤である請求項８の方法。
【請求項１０】
前記非アミノ・シラン・カップリング剤は、アルコキシ・モエティを含む請求項９の方法。
【請求項１１】
前記シラン・カップリング剤は、トリメトキシ・シラン・カップリング剤である請求項１０の方法。
【請求項１２】
前記顔料は、二酸化チタンがコートされたマイカ又は酸化鉄がコートされたマイカである請求項１０の方法。
【請求項１３】
前記顔料は、二酸化チタンがコートされたマイカ又は酸化鉄がコートされたマイカである請求項８の方法。
【発明の詳細な説明】
発明の背景
このケースは、１９９６年２月７日に出願された米国仮特許出願第６０／０１１，２９８号に基づく優先権を主張する。
真珠光沢、金属光沢及び／または虹色に近づく多色作用を与えることは、金属酸化物を被覆したマイカ小片を含む真珠層状の又は真珠光沢の顔料を使用することによって達成できる。これらの顔料は、米国特許３，０８７，８２８及び３，０８７，８２９号に記載されたものが最初であり、それらの特性の記載は、1988年John Wiley & Sonsから発行された「Pigment Handbook」Vol.Ｉ，第2版829〜858頁にみられる。
酸化物被膜は、マイカ小片の面に被着された薄いフィルムの形態のものである。現在、最も広範囲にわたり使用されている酸化物は、二酸化チタンである。次に普及しているものは、酸化鉄であるが、酸化錫、酸化クロミウムおよび酸化ジルコニウムならびに前記酸化物の混合体又は組み合わせたものが他の使用可能な酸化物に含まれている。
前記小片における酸化物被膜は、薄いフィルムの光学特性を有し、したがって、前記顔料から反射されるカラーは、光干渉から生ずるものであって、これは、前記被膜の厚さに左右されるものである。例えば、薄いTiO2被膜は、真珠色又は銀色に見える白い反射になる。金色、赤色、青色、緑色などに反射するカラーは、厚みが徐々に厚くなる被膜によって作られる。酸化鉄は、固有の赤色を有し、被覆されたマイカは、光干渉から生じる反射の色と光の吸収から生じる吸収の色との両者を有している。現在において、市場で最も関心が強い酸化鉄被膜のマイカ顔料は、黄色から赤色にわたる反射のカラーを有するものである。これらの顔料は、”ブロンズ”、”カッパー”、”ラセット（赤褐色）”などとしていわれている。
例えば自動車の車体面などのような外面使用に適したコーティングは、該コーティングが数年にわたり外観上本質的に変化しないものでなければならない一方、同時に、種々変化に富む天候条件にさらされるという点で複雑なものである。前記のコーティングの二つの主要なコンポーネンツは、車両と顔料とであり、両者ともに安定性特性で大幅に変化する。
酸化金属被覆のマイカ真珠光沢顔料は、顔料の二酸化チタンのような単一存在の顔料類よりも、さらにさらに複雑な存在のものである。例えば、顔料の二酸化チタンを安定化するために使用される方法と技術とは、二酸化チタンをコーティングしたマイカ小片類を安定化するには、効果的でもなければ、十分でもない。このように、マイカにコートされた酸化物の挙動は、例えば、米国特許第４，０３８，０９９号の第３欄１９〜４５行に述べられているように、酸化物がない顔料のそれとは顕著に相違する。これらの相違は、また、コンベンショナルの顔料用の二酸化チタンの結晶が通常約０．２μｍであるのに、金属酸化物をコートしたマイカ粒子は、用途に応じて２〜２００μｍの長さをもつ薄い小片のものである点から生じる。したがって、コンベンショナルの顔料を安定化する経験内容を金属酸化物をコートしたマイカ顔料に直接適用することができない。
外面コーティング用途に使用する真珠光沢顔料を安定化するために用いられたイニシヤルの処理には、三価のクロミウムの使用が含まれていた。その僅かに緑がかったカラーと周囲に対するポテンシャルのインパクトにより、近年では、このマテリアルの使用が敬遠され、真珠光沢顔料の安定化のために非クロミウム処理が数多く開発されている。それにも拘らず、ペイント類における金属酸化物をコートしたマイカの耐湿性と総合的な耐候性は、未だに改良の余地を残しているものである。本発明の目的は、改良された耐湿性と総合的な耐候性とを付与することである。
ニッタ（新田）の米国特許第４，８２８，６２３号は、二酸化チタンをコートしたマイカ真珠光沢顔料の耐水性を向上するプロセスを開示しており、それは、次亜燐酸塩の存在のもとに形成された水和ジルコニウム酸化物でベースマテリアルをコーティングすることにより処理されたアルミニウムであるか、又は、それではないものである。この顔料は、その後シラン結合剤で処理される。しかしながら、ニッタは、その後の特許、米国特許第５，２２３，０３４号において、そのようにして作られた顔料は、屋外天候にさらすテストと短期での耐候性テストにおいては、耐えきれないものであることを指摘している。したがって後者の特許は、さきのプロダクトに水和したコバルト、マグネシウム又はセリウム酸化物をオーバーコートしている。
フクイ（福井）の米国特許第４，８１８，６１４号は、二酸化チタンをコートしたマイカをシリコンポリマーで処理し、ついで、該シリコンポリマーをＳｉＨモエティと反応するコンパウンドで反応させ、顔料を安定化させることを開示している。前記反応コンパウンドでオーバーコーティングすることが必須になっている。
二酸化チタンをシラン又はシロキサンで処理することを記載した他の特許には、米国特許第５，３５６，４７１；５，３２６，３９２及び５，１４３，７７２号が含まれる。
ヨーロッパ公開特許出願第０  ６３２  １０９  Ａ１は、水で希釈できるコーティング・コンポジション・システムにおいて、充分な分散性と耐候性をもつ真珠光沢の顔料を得ることの問題点を記載している。この公報は、真珠光沢顔料の耐候性を改善する目的で、そしてまた、水で希釈できるコーティング・コンポジションに真珠光沢顔料を使用できるようにするために、オルガノ-ファンクショナルのシラン類の助けをかりて真珠光沢顔料の表面をモディファイしようとする試みは、不満足な結果に終わることを指摘している。これらの問題点を克服するために、前記パブリッシュされたヨーロッパ特許出願は、金属酸化物をコートしたマイカ真珠光沢顔料に二酸化シリコンを含んでいなければならない保護層を最初に定着させることが必要で、ついで、少なくとも一つの別の金属酸化物又は水和金属酸化物及び少なくとも一つの有機カップリング試薬を保護された金属酸化物をコートした真珠光沢顔料の面に施す真珠光沢の顔料を提供する。該カップリング試薬には、オルガノ・ファンクショナルのシラン、ジルコニウム  アルミネート及び金属酸エステル類が含まれている。この点は、また、米国特許第５，４７２，４９１号を参照されたい。
発明の概要
本発明は、エクステリアグレードの改善された耐湿性と総合的な耐候性とを有する金属酸化物をコートした真珠光沢顔料に関し、そして、そのような顔料の製造方法に関する。該顔料は、溶剤と水とに耐える着色されたベースコートとクリアーのトップコートとからなる自動推進の乗物のペイントシステムのようなリキッドのコーティング類の使用に特に適している。しかしながら、前記顔料は、例えば、フレキシブルなＰＶＣ、熱可塑性オレフィン類、ボディサイドのモールディング類及び他のプラスチックスのような真珠光沢顔料のこれまで知られている用途のすべてに使用できる。
発明の記述
本発明によれば、アルミニウム又はアルミニウム-セリウムで処理した面をもつ金属酸化物をコートした真珠光沢顔料が加水分解されたシラン・カップリング剤で付加的に処理される。出来上がった顔料は、耐湿性と総合的な耐候性とが向上している。
本発明に使用される金属酸化物をコートしたマイカ真珠光沢顔料は、既知の二酸化チタン又は酸化鉄をコートしたマイカ真珠光沢顔料である。これらの顔料は、当業界においてよく知られているものであり、既知のプロセスのどれによっても調製できる。例えば米国特許第３，０８７，８２８及び３，０８７，８２９号ならびにDeLucaの米国特許第４，０３８，０９９号を参照されたい。本発明の顔料を実現するには、この真珠光沢顔料は、これもまた、アルミニウム又はアルミニウム-セリウム処理された面をもつものでなければならない。別の面コーティング類は、本発明において達成された結果が得られない。
金属酸化物をコートしたマイカ顔料に水和した酸化アルミニウムをコーティングすること其れ自体は、知られている。例えば、米国特許第５，０９１，０１１号に記載されており、当該記載を参考文献としてここに組み入れる。簡単に言うと、該顔料は、攪拌により水に分散され、ついで、塩化アルミニウム、硫酸アルミニウム又は硫酸アルミニウム・カリウムのようなアルミニウム化合物及び水酸化ナトリウム、水酸化カリウム、アンモニア又は尿素のような中和剤が水溶液として同時に添加される。これによる加水分解で水和酸化物が前記基体に被着する。記載したように、前記アルミニウム化合物は、これを前記小片類の上にスムーズ連続した層が形成されるに充分な程度にゆっくりと添加しなければならず、このレートは、顔料のグラム当たり、Alが約0.03〜0.1mgの範囲内になければならず、好ましくは、約0.005〜0.07mg Almg/分/g/顔料の範囲である。相当量のアルミニウム化合物溶液を使用して、顔料の全重量を基にして約0.05〜1.2%のアルミニウム、好ましくは、約0.1〜0.8%のアルミニウムを含む水和酸化アルミニウムを作る。アルミニウムの濃度が約1.2%以上の顔料は、前記濃度がそれより低いものよりも安定化には有効ではない。前記コーティング被着後、該プロダクトを濾過し、水洗いし、適宜の温度で乾燥する。前記水和酸化アルミニウムをカルサインしてしまうほど高い温度の使用は、避けなければならない。
水和酸化アルミニウム又は水和酸化セリウムと水和酸化アルミニウムとの組み合わせから本質的になるコーティングで二酸化チタン又は酸化鉄でコーとしたマイカ真珠光沢顔料をコーティングすることは、それ自体知られている。例えば米国特許５，４２３，９１２において記載されており、これの記載をここに参考文献として組み入れるものである。簡単に言うと、真珠光沢顔料は、セリウムとアルミニウムとが前記顔料の面に簡単に沈殿されるリキッド内に分散される。これは、簡便で、好ましい水性分散である。この分散液におけるリゾッドの顔料は、概ね約5〜30%、好ましくは、約10〜20%からなり、セリウムとアルミニウムとは、リキッド媒体に溶解する塩の形で前記分散液にそれぞれ添加される。他の塩が使用できるが、硝酸塩塩類が好ましい。また、前記顔料の全重量を基にするセリウム重量％として計算しての約0.1〜1.5%、さらに好ましくは約0.2〜0.6%の水酸化セリウム及び前記顔料の全重量を基にするアルミニウム重量％として計算しての約0.1〜1%、さらに好ましくは、0.2〜0.6%の水酸化アルミニウムを被着させることが好ましい。前記塩類は、前記スラリーへ個々に順に添加して沈殿させるか、又は、好ましくは、同時に添加して沈殿させることができる。沈殿は、ｐＨを約５以上、好ましくは、約５．５〜７．５の値へ上げることによりコントロールされる。沈殿工程完了後、処理された真珠光沢のプロダクトは、例えば、濾過、遠心分離又は沈降分離のような適宜の手段で分散液から分離し、洗浄し、乾燥する。
この発明のアルミニウム処理された又はアルミニウム-セリウム処理された金属酸化物をコートしたマイカ真珠光沢顔料を加水分解されたシラン・カップリング剤又はこれ等の剤を混合したものでさらに処理される。これらのものは、知られているように、有機マテリアルと無機マテリアルとの間のインターフェースとして作用する化合物であり、両者の親和性を増すものである。このように、シラン・カップリング剤は、通常、シリコンに直接又は間接的にボンドしている有機官能基及びシリコン官能基の両者を有している。シリコン官能基は、一般的に言えば、アルコキシ基であり、好ましくは、Ｃ1-4アルコキシ基である。
本発明に使用できるシラン・カップリング剤は、例えば、ガンマ-(2-アミノエチル）アミノプロピル・トリメトキシ・シラン、アミノプロピル・トリメトキシ・シラン、ガンマ-アミノプロピル・トリエトキシ・シラン、ガンマ-(2-アミノエチル）アミノプロピル・メチル・ジメトキシ・シラン、ガンマ-メタクリルオキシプロピル・メチル・トリメトキシ・シラン、ガンマ-メタクリルオキシプロピル・トリメトキシ・シラン、ガンマ-グリシドオキシプロピル・トリメトキシ・シラン、ガンマ-メルカプトプロピル・トリメトキシ・シラン、ビニルトリアセトキシシラン、ガンマ-クロロプロピル・トリメトキシ・シラン、ビニルトリメトキシ・シラン、オクデシルジメチル-[3-(トリメトキシシリル)-プロピル]塩化アンモニウム、ガンマ-メルカプトプロピル-メチル-ジメトキシ・シラン、メチルトリクロロ・シラン、ジメチル-ジクロロシラン、トリメチルクロロシラン、ガンマ-イソシアネートプロピル・トリエトキシ・シランなどなどである。
前記シラン・カップリング剤には、使用時、顔料と組み合わされるコーティングビヒクルにおける有機マテリアルに適したものが選ばれなければならない。有機マテリアルがポリエステルの場合、有機官能基は、メタクリル基からなるものが好ましい。ウレタンの場合、アミノ官能カップリング剤が好ましい。アクリルビヒクルに対しては、アミノエチル・シラン、アミノプロピル・シラン、メタクリルオキシプロピル・シラン及びグリシダルオキシプロピル・トリメトキシ・シランが適している。極く最近の結果では、アミノ・カップリング剤と非アミノ・カップリング剤とを組み合わせたものが最良の結果を得たことを示している。
顔料は、ドライミキシング又はウェットミキシングによりシラン・カップリング剤で処理される。例えば、水に前記カップリング剤を溶解した水溶液又は水と溶剤との混合液に前記カップリング剤を溶解した水溶液を前記真珠光沢顔料の水性スラリーに添加できる。前記シランは、例えば、前記カップリング剤を水の中で適切な時間にわたり攪拌することにより予め加水分解させることが好ましい。また、加水分解を前記ミキシングの際に行うこともできる。前記シラン・カップリング剤は、処理される顔料の１００重量部をベースとし、広くは、約０．１〜１０重量％、好ましくは、約０．２５〜５重量％のものが使用される。前記カップリング剤と顔料とは、数分から数時間又はそれ以上、好ましくは、約３時間から約２４時間といった反応が生じるのに充分な時間にわたりコンバインされる。その後、前記処理された顔料を濾過、遠心分離などのようなコンベンショナルの態様で回収し、乾燥する。要望があれば、前記カップリング剤処理と前記アルミニウム／セリウム処理とを組み合わせることもできる。
本発明をさらに説明するために、種々の限定でない実施例を以下に記載する。これらの実施例においては、明細書ならびに請求の範囲全体を通してと同様に、特に指示しないかぎり、部とパーセンテージのすべては、重量によるものであり、温度すべては、℃である。
実施例  １
TiO2 53%及びSnO2 1%を含み、長さが主として5〜40μmの小片をもつ青色反射のTiO2被覆のマイカ顔料を基体として使用した。整数量の顔料（２５０ｇ）を３リッターの蒸留水に分散し、攪拌しながら６０℃で加熱した。pHを塩酸で５．５に調節し、ついで、2.91%のAlCl3・6H2O（3.3mg Al/ml）を57分にわたり、毎分４mlのレートで添加した。同時に、pHを5.5に保つために、3.5%の苛性溶液を添加した。１５分にわたり攪拌した後、できたものをフィルターし、蒸留水で洗浄し、110℃で乾燥した。該水和酸化アルミニウムは、処理した顔料の全重量をベースとして0.3%のアルミニウムを含んでいた。
チャージ量が４００ｇのアルミニウムで面処理された二酸化チタンをコートされたマイカをインテンシファイヤーバーを備えたＶ形状のタンブルブレンダーに入れた。100gのガンマ-グリシドオキシプロピルトリメトキシシランと22gの脱イオン水とを１時間にわたり攪拌し、加水分解したシラン・カップリング剤を調製しておいた。2.44gの量の加水分解されたシランを前記ブレンダー内で約２０分にわたりタンブルしながら、そして、よく混ざり合うようにして、前記顔料に対しこまかく分離分散させて、前記顔料に前記シランが均一に行き渡るようにした。その後、前記組み合わせのものを約２時間にわたり、そのままにしておき、前記カップリング剤と前記顔料とが反応し終わるようにした。
実施例２
顔料が赤色反射の酸化第二鉄でコートされたマイカ(Fe2O3 48%)で、長さが主に5〜40μmである小片類を含む点を除いて、実施例１の工程にしたがった。塩化アルミニウム溶液を114分にわたり添加し、フィルタリング、洗浄及び乾燥後にできたものは、0.6%のアルミニウムを有する水和酸化物を含んでいた。
実施例３
ブルーの干渉色を有し、中間の粒子サイズが約20μmである52%のルチルTiO2及び48%の白雲母マイカを含む100グラムのチャージ量の二酸化チタンがコートされたマイカ顔料を１リッターの水に分散させ、75℃に加熱した。pHを希釈硝酸で６に調節し、ついで、60mlの蒸留水に1.2gのCe(NO3).6H2Oを溶解させて予め調製しておいた0.7%のCe(NO3).6H2Oを含む60mlの水溶液及び60mlの蒸留水に4.2gのAl(NO3).9H2Oを溶解して調製しておいた0.5%の硝酸アルミニウムを含む水溶液を１０分以上の時間をかけて添加した。水酸化ナトリウムの希釈水溶液を同時に添加して、セリウムとアルミニウムとの添加の間、pHを６に維持した。３０分攪拌した後、前記サスペンションをフィルターし、蒸留水で洗浄し、80℃で乾燥し、0.4%の水酸化セリウム（Ceとして計算）及び0.2%の水酸化アルミニウム（Alとして計算）を含むプロダクトを得た。
チャージ量を４００ｇとするアルミニウム−セリウムによる表面処理の二酸化チタンマイカをインテンシファイヤーバーを備えたＶ形状のタンブルブレンダーに入れた。100gのガンマ-グリシダイルドオキシ-プロピルトリメトキシシランと22gの脱イオン水とを１時間にわたり攪拌し、加水分解したシラン・カップリング剤を調製しておいた。2.44gの量の加水分解されたシランを前記ブレンダー内で約２０分にわたりタンブルしながら、そして、よく混ざり合うようにして、前記顔料に対しこまかく分離分散させて、前記顔料に前記シランが均一に行き渡るようにした。その後、前記組み合わせのものを約２時間にわたり、そのままにしておき、前記カップリング剤と前記顔料とが反応し終わるようにした。
実施例４
75℃に加熱した後、二酸化チタンでコートされたマイカ顔料が分散した水溶液のpHを最初、希釈硝酸で４に調節し、水酸化ナトリウムの希釈水溶液を１時間以上かけてゆっくり添加してpHを７に上げた点を除き、実施例３の工程を繰り返した。
実施例５
54%の赤鉄鉱を含み、中間粒子サイズが約12μmである赤茶けたブラウン色の酸化鉄でコートされたマイカがイニシャルの顔料である点を除き、実施例４の工程を繰り返した。このセリウム-アルミニウム処理の顔料は、0.4%のセリウムと0.2%のアルミニウムとを含んでいた。
実施例６
酢酸でpHを４に調節された（3-グリシドオキシプロピル）-トリメトキシシランの２％水溶液を３０分にわたり攪拌されるようにした。実施例１の充分なアルミニウムで処理された酸化チタンでコートされたマイカを前記水溶液に添加し、終始該スラリーを攪拌して、濃度２０％のスラリーを得た。約２．５時間の後、フィルタレーションと１６時間にわたる約８０℃における乾燥で顔料を回収した。
実施例７
使用したシランがβ-(3,4-エポキシシクロヘキシル)-エチルトリメトキシシランであった点を除き、実施例１の工程を繰り返した。
実施例８
シランがガンマ-メタクリルオキシプロピルトリメトキシ-シランであった点を除き、実施例３の工程を繰り返した。
実施例９
シランがガンマ-グリシダイルオキシプロピル-トリメトキシシラン
及びオクチルトリエトキシシランの混合ものであった点を除き、実施例１の工程を繰り返した。
実施例１０〜１８
実施例１のシラン-アルミニウム処理の二酸化チタンをコートしたマイカ真珠光沢顔料又は実施例２のシラン-アルミニウム処理の酸化鉄をコートしたマイカ顔料又は実施例４のシラン-アルミニウムとセリウムで処理した二酸化チタンでコートしたマイカ顔料又は実施例５のシラン-アルミニウムとセリウムで処理した酸化鉄でコートしたマイカ顔料のいずれかを０．１３の顔料対ペイントの比率で水ベースのペイント組成物に組み入れて、水ベースのペイント類を調製した。テストの目的のために、プライム（下塗り）された7.5x15cmの複数のスチールパネル（APR 25379，ミシンガン州デトロイトのアドバンスド・コーティング・テクノロジーズにより供給される）を15〜20ミクロンの厚さの着色したベースコートでコートした。このベースコートを少なくとも１０分間にわたりフラッシュ（気化蒸発）するようにし、６．５分間８５℃で焼成し、冷却した。ついでクリアー（着色されていない）トップコートを40〜45ミクロンの厚さで施し、できたパネルを３０分間140℃で焼成した。できたパネルの部分部分にマスキングして、前記パネルの露出した部分と露出されない部分との比較が行えるようにした。
前記複数のパネルを約４０℃で２４０時間にわたり湿度１００％の雰囲気中にさらし、このような処理の結果の複数のパネルをASTM D3359，Vol.6粘着テストに付した。これらの結果を０Ｂから５Ｂのスケールで評価した。０Ｂはトータルの密着（凝集）不良（６５％以上）を表し、５Ｂは不良が全くないことを表す。アルミニウム処理の二酸化チタン及び酸化鉄をコートしたマイカの両者は、０Ｂから１Ｂの評価であったが、シラン処理の顔料類は、５Ｂの評価であった。
さらす前と、さらした後との前記パネルの外観における変化をハンター・ラボ製造のリフレクテッド・イメージ・ゴニオフォトメーターのドリゴン・II明確度（ディスティクンティブネス）を用いてイメージの明確度（ディスティクンティブネス・オブ・イメージ）（ＤＯＩ）測定を行って評価した。保持されたイメージの明確度（％ＤＯＩ）は、湿度状態下におかれた後のＤＯＩを湿度状態下におかれる前のＤＯＩで割り、これを１００倍して計算した。より高い％ＤＯＩをもつ顔料類は、より低い％ＤＯＩのものよりも安定性にすぐれていた。アルミニウム処理の二酸化チタン及び酸化鉄をコートしたマイカ真珠光沢顔料の両者は、％ＤＯＩが約５０％であったが、これらに対応するシラン処理の顔料類の％ＤＯＩは、約９０％であった。
前記パネル類をまたアウトドアのフロリダ気候に１年間さらした後では、前記シラン処理の顔料ペイント類は、シランで処理されていない顔料よりも良好な光沢とＤＯＩを保持していたことが観察できた。
実施例１４〜１７
ペイント・システムが水性のペイントの代わりに溶剤ベースのペイントで、顔料対ペイントのレシオが０．２５である点を除き、実施例１０〜１３を繰り返した。このシステムにおいては、アルミニウム処理の二酸化チタン及び酸化鉄をコートしたマイカ真珠光沢顔料の％ＤＯＩは、約７７％であったが、対応するシランのサンプル類の％ＤＯＩは、約９８％であった。
実施例１８〜２０
単独のカップリング剤を混合ものに替えて実施例３を３回繰り返した。三つの混合のものは、ガンマ-グリジシルオキシプロピル・トリメトキシ・シラン及びガンマ-アミノプロピル・トリエトキシ・シラン、ガンマ-アミノプロピル・トリエトキシ・シラン及びガンマ-トリメタクリルオキシプロピル・トリメトキシ・シラン、及びガンマ-アミノプロピル・トリエトキシ・シラン及びガンマ-イソシアネートプロピル・トリエトキシ・シランであった。
実施例２１
Ce(NO3)6H2O溶液が二酸化チタンをコートしたマイカ顔料に接触する前に、加水分解されたシランを前記溶液に添加した点を除き実施例３を繰り返した。
実施例２２〜２３
100グラムのホワイトパール二酸化チタンでコートされ、赤紅石TiO2 26%及び白雲母74%を含むマイカ顔料を１リッターの水に分散させ、75℃に加熱した。pHを希釈硝酸で３に調節し、２gmの20.2% Ce(NO3)3溶液、７gmの4.3% Al(NO3)3溶液及び0.48gm NaH2PO2.H2O溶液を前記スラリーに添加し、約２０分間攪拌した。３０分以上の時間をかけて、3.5% NaOHで前記スラリーのpHを８にゆっくり上げた。3gmの3-グリシドオキシプロピル・トリメトキシ・シラン及び3gmの3-アミノプロピル・トリエトキシ・シラン又は3gmの3-メタクリル・オキシプロピル・トリメトキシ・シラン及び3gmの3-アミノプロピル・トリエトキシ・シランのいずれかを１０分以上かけて添加した。約２時間、75℃で攪拌を続けた。該スラリーをフィルターし、洗浄し、140℃で乾燥した。
この手順は、54%の赤鉄鉱を含む赤茶けたブラウン色の酸化鉄でコートしたマイカにリピートすることができる。
この発明のプロセスとプロダクツにおいては、この発明のスピリットと範囲を逸脱することなしに種々の変更とモディフィケーションとを行うことができる。ここに記載の種々の実施例は、発明を説明するための目的のものであって、発明を限定する意図のものではない。